(57)【特許請求の範囲】
【請求項１】
内壁に螺旋状の第１係合部が形成された筒状の本体と、
該本体の内部に少なくとも部分的に挿入された筒状の保持体であって、その外壁には、前記第１係合部に接着剤を介して係合した螺旋状の第２係合部と、前記本体の該端面に隣接して配置され前記保持体の前記外壁を覆い該保持体の周方向に沿って延びる環状部材に当接した係止部と、が形成された保持体と、
を具備し、
前記環状部材は、その内周面全体が前記保持体の前記外壁に接するように設けられ、延設方向全体にわたってその表面に装飾加工が可能な一定の厚みを有する釣竿。
【請求項２】
前記環状部材は、全体的に略一定の厚みを有するものである、請求項１に記載の釣竿
【請求項３】
前記環状部材は、前記本体の外壁を覆うように前記保持体の周方向に沿って延びる第１の環状部材と、該第１の環状部材に連続的に繋がり、前記本体の前記端面を覆うように前記保持体の周方向に沿って延びる第２の環状部材と、を含む、請求項１に記載の釣竿。
【請求項４】
前記保持体の前記外壁に形成された前記第２係合部のうち前記本体に形成された前記第１係合部に実際に係合している部分の面積は、前記環状部材の幅に反比例する、請求項２又は請求項３に記載の釣竿。
【請求項５】
前記保持体の内壁には、螺旋状の第３係合部が形成されており、
前記保持体は、該保持体の一端に形成された開口部を介して栓体を受け入れ、前記第３係合部と前記栓体の外壁に形成された螺旋状の第４係合部とを係合させることにより前記栓体を固定する、請求項４に記載の釣竿。
【請求項６】
前記保持体の前記外壁に形成された前記第２係合部は、前記保持体が順方向に回動したときに前記本体に向かって進行するように形成されており、
前記保持体の前記内壁に形成された前記第３係合部は、前記栓体が順方向に回動したときに前記保持体から離れる方向に進行するように形成されている、請求項５に記載の釣竿。
【発明の詳細な説明】
【技術分野】
【０００１】
本発明は、端部に栓体が着脱自在に設けられた釣竿に関する。
【背景技術】
【０００２】
端部に栓体が着脱自在に設けられた釣竿、例えば、グリップ側の端部に尻栓が着脱自在に設けられた釣竿として、特開２０１１−０８７５０３号公報（特許文献１）に記載されたものが知られている。かかる釣竿では、筒状のホルダーが釣竿本体の内部に収容及び接着される。尻栓の外壁に形成された雄ネジをホルダーの内壁に形成された雌ネジに螺合させることにより、尻栓がホルダーを介して釣竿本体に着脱自在に取り付けられる。
【先行技術文献】
【特許文献】
【０００３】
【特許文献１】特開２０１１−０８７５０３号公報
【発明の概要】
【発明が解決しようとする課題】
【０００４】
しかしながら、上記特許文献１に記載された釣竿においては、ホルダーと釣竿本体との接着力が十分なものではないために、ホルダーが釣竿本体から外れ易くなり、したがって、釣竿の製品としての信頼性が低下するという問題がある。
【０００５】
そこで、本実施の形態により、信頼性の高い釣竿を提供する。
【課題を解決するための手段】
【０００６】
一実施形態に係る釣竿は、内壁に螺旋状の第１係合部が形成された筒状の本体と、該本体の内部に少なくとも部分的に挿入された筒状の保持体であって、その外壁には、前記第１係合部に接着剤を介して係合した螺旋状の第２係合部と、前記保持体の周方向に沿って延び、前記本体の端面に当接した係止部、又は、該端面に隣接して配置され前記保持体の前記外壁を覆い該保持体の周方向に沿って延びる環状部材に当接した係止部と、が形成された保持体と、を具備する。
【発明の効果】
【０００７】
本実施の形態により、信頼性の高い釣竿を提供することができる。
【図面の簡単な説明】
【０００８】
【図１】図１は、本発明の実施形態１に係る釣竿の構成を示す側面図である。
【図２】図２は、本発明の実施形態１に係る釣竿の構成を部分的に拡大して示す側面図である。
【図３】図３は、図２に示した釣竿を方向Ａから見て示す図である。
【図４】図４は、図２に示した釣竿の構成を示す断面図である。
【図５】図５は、図２〜図４に示した釣竿に用いられる栓体の構成を示す側面図である。
【図６】図６は、本発明の実施形態２に係る釣竿の構成を部分的に拡大して示す断面図である。
【図７】図７は、本発明の実施形態３に係る釣竿の構成を部分的に拡大して示す断面図である。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
（実施形態１）
図１は、本発明の実施形態１に係る釣竿の構成を示す側面図である。図１に示すように、釣竿１００は、本体１１０と、本体１１０の端部に取り付けられた下栓１１５と、を含む。本体１１０は、例えば、元竿１１０Ａと、元竿１１０Ａの内部に収容可能となるように元竿１１０Ａに連結された複数の中竿１１０Ｂと、中竿１１１０Ｂの内部に収容可能となるように中竿１１０Ｂに連結された穂先竿１１０Ｃと、を含むものとすることができる。
【００１１】
図２は、本発明の実施形態１に係る釣竿の構成を部分的に拡大して示す側面図である。図３は、図２に示した釣竿を方向Ａから見て示す図である。図４は、図２に示した釣竿の構成を示す断面図である。図５は、図２〜図４に示した釣竿に用いられる栓体の構成を示す側面図である。図示のように、本体１１０の内壁には、雌ネジ（第１係合部）１１２が本体１１０の延設方向に沿って形成されている。
【００１２】
下栓１１５は、本体１１０に固定されるホルダー１２０と、ホルダー１２０に着脱自在に取り付けられる栓体２００と、を含む。
ホルダー１２０は、一端に開口１２２が形成され、他端に開口１２４が形成された、全体として筒状の形状を有する。ホルダー１２０は、大まかにいえば、本体１１０の内部に挿入される挿入部１３０と、本体１１０の端面を係止する係止部１４０と、蓋部材１０と結合する結合部１５０と、に分けられる。
【００１３】
挿入部１３０は、本体１１０の内径よりもわずかに小さい外径を有する。挿入部１３０の外壁には、本体１１０の内壁に形成された雌ネジ１１２に螺合（係合）する雄ネジ（第２係合部）１３２が形成されている。
【００１４】
係止部１４０は、挿入部１３０に隣接して配置されている。係止部１４０は、挿入部１３０の外径よりも大きい外径を有する。これにより、係止部１４０は、本体１１０の端面に当接してこの端面を係止する。
【００１５】
結合部１５０は、係止部１４０に隣接して配置されている。結合部１５０は、係止部１４０の外径よりも小さい外径を有する凹部１５２と、凹部１５２に隣接して配置され凹部１５２の外径よりも大きい外径を有する凸部１５４と、を含む。結合部１５０には、筒状の蓋部材１０が取り付けられる。蓋部材１０は、例えば、ゴムや樹脂等により形成されたものである。
【００１６】
このような挿入部１３０、係止部１４０及び結合部１５０を含むホルダー１２０は、例えば、樹脂、ゴムや金属等を含む様々な材料により一体的に形成されたものである。
【００１７】
ホルダー１２０の内部には、開口１２２から開口１２４に抜ける通路１６０が形成されている。この通路１６０は、蓋部材１０の開口１２に連通している。
【００１８】
ホルダー１２０の通路１６０を囲む内壁に着目すると、この内壁は、一端から他端に向かう方向Ｙに向かって内径が減少する内壁部１７２と、一定の内径を有する内壁部１７４と、一定の内径であって内壁部１７４の内径より小さい内径を有する内壁部１７６と、一定の内径であって内壁部１７６より大きい内径を有する内壁部１７８と、が連続的に繋がったものである。
【００１９】
ホルダー１２０の内壁のうち内壁部１７６には、雌ネジ（第３係合部）１７６ａが形成されている。この雌ネジ１７６ａは、蓋部材１０の開口１２及びホルダー１２０の開口１２４を介して挿入された栓体２００を固定するために用いられるものである。
【００２０】
図５に示すように、栓体２００は、全体として円筒状の形状を有し、樹脂や金属等を含む様々な材料により形成されるものである。栓体２００は、円筒状の第１挿入部２０２と、円筒状の第２挿入部２０４と、を含む。
【００２１】
第１挿入部２０２は、ホルダー１２０の内壁部１７６の内径よりわずかに小さい内径を有し、内壁部１７６のＹ方向の長さよりわずかに短い長さを有する。また、第２挿入部２０４は、ホルダー１２０の内壁部１７８の内径よりわずかに小さい内径を有し、内壁部１７８のＹ方向の長さと蓋部材１０の開口１２の厚みとの合計に略等しい長さを有する。
また、第１挿入部２０２の外壁には、ホルダー１２０の内壁部１７６に形成された雌ネジ（第３係合部）１７６ａに螺合（係合）する雄ネジ（第４係合部）２０２ａが形成されている。
【００２２】
次に、上述した釣竿１００の組み立て方法について図２〜図５を参照して説明する。
まず、本体１１０の内壁に形成された雌ネジ１１２及びホルダー１２０の挿入部１３０の外壁に形成された雄ネジ１３２のうちの少なくとも一方に接着剤が付与される。接着剤としては任意のものを用いることができる。
【００２３】
次に、ホルダー１２０の挿入部１３０の端部が本体１１０の端部に形成された開口に挿入される。挿入部１３０に形成された雄ネジ１３２が本体１１０に形成された雌ネジ１１２に当接した後、ホルダー１２０が順方向に回動させられると、雄ネジ１３２と雌ネジ１１２とが係合する。そのままホルダー１２０が順方向に回動され続けると、ホルダー１２０は本体１１０に向かう方向に進行し続ける結果、本体１１０の端面がホルダー１２０の係止部１４０に当接する（図４に示した状態）。
【００２４】
このようにホルダー１２０が取り付けられた本体１１０は、一定時間放置されることにより、又は、熱を加えられることにより、雌ネジ１１２と雄ネジ１３２との間に付与された接着剤が硬化する。これにより、ホルダー１２０が本体１１０に強固に固定される。
【００２５】
次に、ホルダー１２０の結合部１５０に蓋部材１０が取り付けられる。蓋部材１０の開口１２、並びに、ホルダー１２０の開口１２４、通路１６０及び開口１２２を介して、図１に示した中竿１１０Ｂ及び穂先竿１１０Ｃが挿入される。
【００２６】
この後、栓体２００の第１挿入部２０２の端部が蓋部材１０の開口１２及びホルダー１２０の開口１２４に挿入される。第１挿入部２０２の外壁に形成された雄ネジ２０２ａが、ホルダー１２０の内壁部１７６に形成された雌ネジ１７６ａに当接した後、栓体２００が順方向に回動させられると、雄ネジ２０２ａと雌ネジ１７６ａとが係合する。そのまま栓体２００が（例えば、第２挿入部２０４の隆起部２０４ａに形成された直線状に延びる凹部２０４ｂに係合させたマイナスドライバーやコイン等を回動させること等により）順方向に回動され続けると、栓体２００はホルダー１２０に向かう方向に進行し続ける結果、栓体２００の第２挿入部２０４の端面がホルダー１２０の内壁部１７６の端面に当接する。この状態では、蓋部材１０からは、第２挿入部２０４の隆起部２０４ａのみが露出する。
【００２７】
これにより、釣竿１００の組み立てが完了する。なお、本体１１０の内部に収容された中竿１１０Ｂ及び穂先竿１１０Ｃをメンテナンス等のために取り出す必要がある場合には、栓体２００を逆方向に回動させてホルダー１２０から取り外すことができる。
【００２８】
このように本実施形態に係る釣竿によれば、ホルダーと本体とは、ホルダーの外壁に形成されたネジ（係合部）と本体の内壁に形成されたネジ（係合部）とを係合（螺合）させることに加えて、さらに両ネジ（両係合部）の間に接着剤を付与することによって、固定される。これにより、ホルダーと本体との固着力を高めることができる。これにより、信頼性の高い釣竿を提供することができる。
【００２９】
なお、本実施形態では、ホルダーの外壁に形成されるネジ及び本体の内壁に形成されるネジがそれぞれ雄ネジ及び雌ネジである場合について説明したが、これらのネジをそれぞれ雌ネジ及び雄ネジとしてもよい。これは、栓体の外壁に形成されるネジ及びホルダーの内壁に形成されるネジについても同様に妥当する。
【００３０】
また、本明細書における「順方向」とは、時計回り及び反時計回りのうちのいずれを意味するものであってもよい。
【００３１】
さらに、本実施形態では、本体に対してホルダーを「順方向に」回動させたときにホルダーが本体に「向かう」方向に進行し、栓体をホルダーに対して「順方向に」回動させたときに栓体がホルダーに「向かう」方向に進行するように、各ネジが形成される場合について説明した。しかしながら、両者の関係を逆にしてもよい。すなわち、本体に対してホルダーを「順方向に」回動させたときにホルダーが本体に「向かう」方向に進行し、栓体をホルダーに対して「順方向に」回動させたときに栓体がホルダーから「離れる」方向に進行するように、各ネジが形成されるようにしてもよい。この場合、栓体が長期間にわたってホルダーに取り付けられていたこと等によって栓体の外壁に形成されたネジとホルダーの内壁に形成されたネジとが強固に係合していたときに、栓体を取り外すべく栓体を順方向に回動させようと栓体に非常に大きな力を作用させたとしても、この力は、本体に向かう方向にホルダーを回動させるように作用する。よって、ホルダーが本体から緩んだり外れたりすることをより確実に防止することができる。
【００３２】
（実施形態２）
本実施形態では、本体の端面とホルダーの外壁に形成された係止部との間に装飾用のリングを配置する場合について図６を参照して説明する。なお、本実施形態に係る釣竿の構成のうち実施形態１に係る釣竿の構成と共通するものについては、その詳細な説明を省略する。
【００３３】
図６は、本発明の実施形態２に係る釣竿の構成を部分的に拡大して示す断面図である。
図６に示すように、本実施形態に係る釣竿３００は、本体１１０の端面１１０ａとホルダー１２０の外壁に形成された係止部１４０との間にリング４００が配置されている。リング４００は、略Ｌ字状の断面形状を有する環状部材である。具体的には、リング４００は、本体１１０の外壁を覆うようにホルダーの周方向に沿って延びる第１の環状部材４０２と、環状部材４０２に連続的に繋がり、本体１１０の端面１１０ａを覆うようにホルダー１２０の周方向に沿って延びる第２の環状部材４０４と、を含む。第２の環状部材４０４の一端及び他端はそれぞれ本体１１０の端面１１０ａ及びホルダー１２０の係止部１４０に当接している。
【００３４】
なお、本体１１０の端部のうちリング４００の第１の環状部材４０２により覆われる部分の厚みは、本体１１０の端部の他の部分の厚みよりも、この第１の環状部材４０２の厚みに相当する分だけ小さくなるように加工されている。これにより、本体１１０の外面と、リング４００の外面と、ホルダー１２０の係止部１４０の外面と、が協働して同一の平面を形成している（すなわち、面一となっている）。これに代えて、本体１１０の端部に加工を施すことなく、リング４００の第１の環状部材４０２がこの本体の端部の外面をそのまま覆うようにしてもよい。この場合、リング４００の外面が本体１１０の外面から突出することになる。
【００３５】
リング４００は、金属、樹脂やゴムを含む様々な材料により形成されたものである。このリング４００は、それ自体が着色されたり、外面に装飾が施されることによって、釣竿３００の外観を変化させるものとして機能する。また、リング４００は、略Ｌ字状の断面形状を有することにより、本体１１０の端部における外壁及び端面を覆うものであるので、本体１１０の端部を保護するものとして機能する。
【００３６】
さらにまた、ホルダー１２０は、図４に示したホルダー１２０と同一の構成を有するものである。このことは、ホルダー１２０という同一の部品を用いるという条件のもと、実施形態１に係る釣竿１００を構成することもできるし、実施形態２に係る釣竿３００を構成することもできる、ということを意味する。すなわち、釣竿１００という製品と釣竿３００という製品との間においてホルダー１２０という部品を共通化することができる。
【００３７】
なお、釣竿３００の組み立て方法は、ホルダー１２０を本体１１０に取り付ける際に、本体１１０の端部に事前にリング４００を係合させておくということを除いて、釣竿１００の組み立て方法と同様である。
【００３８】
また、図６から明らかなように、本体１１０の端面１１０ａに隣接するようにリング４００の第２の環状部材４０４が配置されることによって、第２の環状部材４０４の内面とホルダー１２０の挿入部１３０の外面との間には空隙Ｇ１が生ずる。この空隙Ｇ１に接着剤を付与することによってこの空隙Ｇ１を接着剤留りとして利用してもよい。これにより、本体１１０とホルダー１２０との固定力を向上させることができる。
【００３９】
（実施形態３）
本実施形態では、本体の端面とホルダーの外壁に形成された係止部との間に別のタイプの装飾用のリングを配置する場合について図７を参照して説明する。なお、本実施形態に係る釣竿の構成のうち実施形態１及び実施形態２のそれぞれに係る釣竿の構成と共通するものについては、その詳細な説明を省略する。
【００４０】
図７は、本発明の実施形態３に係る釣竿の構成を部分的に拡大して示す断面図である。
図７に示すように、本実施形態に係る釣竿４００は、本体１１０の端面１１０ａとホルダー１２０の外壁に形成された係止部１４０との間にリング５００が配置されている。リング５００の一端及び他端は、それぞれ本体１１０の端面１１０ａ及びホルダー１２０の係止部１４０に当接している。リング５００は、ホルダー１２０の周方向に沿って延び、ホルダー１２０の外壁を覆っている。リング５００は、略一定の厚み及び略一定の幅を有するものである。
【００４１】
リング５００は、図６に示したリング４００とは異なり、本体１１０の外壁を覆っていないため、全体的にリング４００よりも肉厚のものとなっている。しかも、その肉厚は、リング５００の延設方向全体にわたって一定となっている。これにより、リング５００は、リング４００に比べて高い強度を確保することができる。よって、リング５００は、その外壁に装飾用の加工（例えば彫刻や削り等）などを施しても、十分に強度を維持することができる。
【００４２】
なお、図７と図４とを比較すれば明らかであるように、リング５００の幅を広くすればするほど、ホルダー１２０の外壁に形成されたネジ（係合部）１３２のうち本体１１０の内壁に形成されたネジ（係合部）１１２と係合している部分（係合部分）の面積は、小さくなる。別言すれば、係合部分の面積は、リング５００の幅に反比例する。このことは、ホルダー１２０は、相互に幅の広さが異なる複数のリングのうちのいずれを用いても本体１１０に取り付けることが可能なものである、ということを意味する。
【００４３】
また、本実施形態においても、上記実施形態２と同様に、リング５００の内面とホルダー１２０の挿入部１３０の外面との間に生ずる空隙Ｇ２を接着剤留りとして利用してもよい。
【００４４】
上述した様々な実施形態は、相互に組み合わせて用いることが可能なものである。
【符号の説明】
【００４５】
１００、３００、４００  釣竿
１１２  ネジ（第１係合部）
１１０  釣竿本体
１１５  下栓
１２０  ホルダー（保持体）
１３２  ネジ（第２係合部）
１４０  係止部
１７６ａ  ネジ（第３係合部）
２００  栓体
２０２ａ  ネジ（第４係合部）
【図１】
0005863524.tif 000002
【図２】
0005863524.tif 000003
【図３】
0005863524.tif 000004
【図４】
0005863524.tif 000005
【図５】
0005863524.tif 000006
【図６】
0005863524.tif 000007
【図７】
0005863524.tif 000008